(57)【特許請求の範囲】
【請求項１】
少なくとも下面を含む２面が開放し、この開放した下面から内部に手繰り状に体液吸収性物品の外装側を収容する空間を構成する略半筒状周壁を備え、この略半筒状周壁を弾力性を発揮する素材で形成したことを特徴とする体液吸収性物品の装着用補助具。
【請求項２】
略半筒状周壁の頂部部分に通気孔を設けたことを特徴とする請求項１に記載の体液吸収性物品の装着用補助具。
【請求項３】
略半筒状周壁の内面に滑り止め部材を設けたことを特徴とする請求項１から２のいずれかに記載の体液吸収性物品の装着用補助具。
【発明の詳細な説明】
【技術分野】
【０００１】  本発明は、装着用補助具を略半筒状に形成し、使い捨ておむつやパンツ型おむつ、尿吸収パッド、生理用ナプキンなどの体液吸収性物品の装着時に、性器の位置に対応するように体液吸収性物品の外方から被せ、その周壁端部で体液吸収性物品を押圧し、体液の漏れを防止する補助具に関する。
【背景技術】
【０００２】  体液吸収性物品は、生理時の出血や尿が横漏れする傾向があり、着用者はいつも不安感を持っている。特に量の多い尿の漏れは、就寝時に側臥位を取ると起きやすく、とりわけ男性は、陰茎の先端がそけい部を向くので、尿はそけい部に沿って流れ体液吸収性物品の脚開口部分のわずかな浮き上がり隙間から漏れ出ることが多い。【０００３】  このような横漏れを防ぐために、経験の浅い装着者は肌に対してどの程度強く押し当てれば良いか不安なため、必要以上に圧迫させる傾向にある。このため女性の場合、陰唇が圧迫されて尿道口が覆い隠し状に閉塞され、放尿に支障を来たす。また男性は陰茎や睾丸があるため、不快な圧迫感を感じるだけでなく、ムレによる不快感で、睡眠時に無意識のうちにおむつはずしや、おむついじりを行って、尿漏れの原因となっている。さらに強い圧迫により陰茎部の尿道が屈折状に圧迫変形し、尿がスムースに流れない。この現象は、高月齢の幼児や成人男性に多い。【０００４】  そこで、そけい部には強く接触し、性器部分には空間を持たせる立体状の吸収性物品が提案されている。
例えば特許文献１では、肌に当たる面に、剛性を有する吸収性本体部を、そけい部に沿って突出するように屈曲させ、この屈曲によって本体部を性器から浮き上がらせ自由空間を形成している。しかし上記屈曲部分の剛性が求められるため、硬い部材により構成されており、しかも着用時のパッドなどの外装シートに加わる装着力をこの屈曲部分で直接受け止めるため、弱い肌には、発赤が生じ、著しいときは水泡が生じる。【０００５】  また特許文献２では、尿吸収パッドの前身部に舟形状の立体的な膨らみ部を設けているが、陰茎が圧迫されない代わりに、尿漏れを防ぐための固めの周縁部が肌に食い込み、不快感を覚え、肌に発赤などの負担を掛けることになる。
【先行技術文献】
【特許文献】
【０００６】
【特許文献１】  特開２００８−２５３２８８号公報
【特許文献２】  特開２００９−８２２８８号公報
【発明の概要】
【発明が解決しようとする課題】
【０００７】  本発明はこのような点に鑑みなされたもので、体液吸収性物品と性器との間に空間が得られ、圧迫感がなく放尿に負担がかからず、快適な着用感が得られ、また透液し難く、しかもこの物品が肌から浮き上がることもないので、側臥位時であっても横漏れを防止することが出来る補助具を提供することを目的とする。
【課題を解決するための手段】
【０００８】  本発明は、体液吸収性物品の装着用補助具を、少なくとも下面を含む２面が開放し、この開放した下面から内部に手繰り状に体液吸収性物品の外装側を収容する空間を構成する略半筒状周壁を備え、この略半筒状周壁を弾力性を発揮する素材で形成することにより、体液吸収性物品は上記空間内に溝状になって収容され、性器との間に空間が得られて、圧迫感がなく放尿でき、快適な着用感が得られ、また装着力による体液吸収性物品の圧縮変形で、透液し難く、この物品が肌から浮き上がることもないので、性器は体液吸収性物品の空間内に収容され、側臥位時であっても横漏れを防止することが出来る補助具に関する。
【発明の効果】
【０００９】  本発明により、補助具が受ける外方からの装着力は、柔らかな体液吸収性物品を介して肌に作用するため、体液吸収性物品が圧縮変形して広い面積で肌に当接することになり、肌に食い込むことがなく、体液吸収性物品と性器の間に溝状空間が得られて、圧迫感がなく放尿に負担がかからない。また快適な着用感が得られおむつはずしやおむついじりを誘発させることもない。さらに体液吸収物品が装着力で圧縮しているため、吸収材の吸液空間（例えば繊維密度）が緻密になり透液し難く、しかもこの物品が肌から浮き上がることもないので、上記空間に性器は収容され側臥位であっても横漏れを防止することができる。
【図面の簡単な説明】
【００１０】
【図１】  本発明において尿吸収パッドを補助具で固定した装着状態斜視図である。
【図２】  本発明において図１に示す装着状態の横断面図である。
【図３】  本発明において図１に示す装着状態の縦断面図である。
【図４】  本発明における補助具の他の実施例の斜視図である。
【図５】  本発明における補助具のさらに他の実施例の斜視図である。
【図６】  本発明における補助具の他の実施例の斜視図である。
【図７】  本発明における補助具の他の実施例の斜視図である。
【図８】  本発明における補助具の他の実施例の装着状態の斜視図である。
【図９】  本発明における補助具の他の実施例の斜視図である。
【発明を実施するための形態】
【００１１】  以下、体液吸収性物品として尿吸収パッドに適用する場合を例として説明する。
１は尿吸収パッドで、２は性器を覆う前部、３は股間に当たる中央部、４は臀部側を覆う後部である。６は略半筒状に形成された合成樹脂製補助具で、周壁７は、前端部８、後端部９、中間部１０から構成されている。
装着にあたっては、尿吸収パッド１を着用者の股間にあてがい、その前部２の外面側から略半筒状半筒状の補助具６を被せる。このとき前部２が補助具６の内面１２に沿うように手繰り入れることにより図２のように、補助具６の前後方向に溝状の空間１７を形成する。
続いて、この溝状空間１７の内面側に陰茎１５が収容されるように陰茎１５を体軸方向に沿わせ、前部２を着用者の腹部に被せる。この際、陰茎１５の長さなどによって睾丸１６も収容されるが、空間を形成する溝状測部１８により陰茎１５と隔離することが出来る。
この状態で、補助具６と尿吸収パッド１を固定するために、おむつカバーやネットパンツ１４を被せ、締め付け固定する。
この装着力は、補助具６で受け止められ、周壁７の開口側の脚端部１３に伝わり、尿吸収パッド１の両サイドを圧縮して位置決め力として作用する。このため尿吸収パッド１には直接締め付け力が加わらないため、補助具６内に自由空間ができる。
【００１２】  したがって、補助具６内の陰茎１５は、装着力の影響を受けることなく、尿吸収パッド１の自由空間内で過剰に圧迫されずに安定して保持されるため不快感もなくなって、おむついじりやおむつはずしがなくなり、陰茎１５の方向を中央に固定でき、放尿時の吸収位置を、吸収力の大きい中央にコントロールできる。しかも、陰茎１５が短小の場合や上向きの排尿の場合も、排尿方向をコントロールできる。
この場合、陰茎１５を囲む補助具６は、略半筒状をしているため、従来のおむつに設けているポケット状の位置決め方法の前周を取り囲む締め付け上の圧迫感がない。
さらに、自由空間部の陰茎１５を下側に向ける際の、尿道の圧迫閉塞を避けることが出来、下向き排尿を容易にすることが出来る。
【００１３】  また、補助具６は肌側の周壁７を尿吸収パッド１で覆われることになり、下肢の屈曲や座位姿勢でも圧迫なく、車いす利用者でも装着用できる。
着用者が、側臥位で放尿した場合は、尿吸収パッド１の両サイドは、補助具６の脚端部１３で圧縮されているので、吸収材としての繊維やビーズなどは密度が高くなり、尿吸収パッド１の吸収空間を緻密にして透液し難くなり、しかも肌から浮き上がることがなく、脚端部１３方向に沿って流れ、尿吸収パッド１からの横漏れが抑制される。
【実施例１】
【００１４】  図１において、１は尿吸収パッドで、２は性器を覆う前部、３は股間に当たる中央部、４は臀部側を覆う後部、５は側縁である。この尿吸収パッド１は、肌側に吸液性、吸湿性の高い生地で構成されている。６は略半筒状に形成された合成樹脂製補助具で、周壁７は前端部８、後端部９、中間部１０、頂部１１から構成されている。頂部１１は、中間部１０が小さく形成され、全体として鞍形の半円形筒状となっている。このため頂部１１が受け止めるネットパンツ１４の締め付け装着力は、前端部８及び後端部９が積極的に受け止める。
中間部１０は前端部８及び後端部９に比べて小径のため変形し難く、前端部８及び後端部９の変形を抑制し略半筒状を維持する傾向にある。
補助具６の素材としては、ナイロン、ポリプロピレン、ＡＢＳ、塩化ビニール、ポリエチレンなどの多くの合成樹脂、アルミニウムのような金属材などの弾力性を発揮する素材を採用できる。【００１５】  装着にあたっては、尿吸収パッド１を着用者の股間にあてがい、その前部２の外面側から補助具６を被せる。このとき前部２が補助具６の内面１２に沿うように手繰り入れることにより図２のように、補助具６の前後方向に溝状の空間１７を形成する。
続いて、図３に示すように、この溝状空間１７の内面側に陰茎１５が収容されるように陰茎１５を体軸方向に沿わせ、前部２を着用者の腹部に被せる。この際、睾丸１６も収容されることがあるが、空間を形成する溝状測部１８により陰茎１５と隔離することも出来る。
この状態で、補助具６と尿吸収パッド１を固定するために、おむつカバーやネットパンツ１４を被せ、締め付け固定する。【００１６】  この締め付け力は、補助具６の頂部１１で受け止められ、周壁７の開口側の脚端部１３に伝わり、尿吸収パッド１の両サイドを圧縮して位置決め力として作用する。このため補助具６内の尿吸収パッド１には直接締め付け力が加わらないため、補助具６内に自由空間ができる。
【実施例２】
【００１７】  図４に示す補助具２０は頂部２０に、バンド通し２１を形成しこの通し孔２２に伸縮自在のゴムベルト状や紐状の装着バンド２３を取り付ける。この装着バンド２３は、おむつカバーやネットパンツ１４の代わりに使用できる。もちろん、装着用バンド２３で補助具２０を取り付けた上からネットパンツ１４を装着用しても良い。
【実施例３】
【００１８】  図５に示す補助具３０は頂部３２に沿って、長尺状通気孔３１を形成している。この通気孔３１は、装着時のムレを解消する。また、孔形状としては、図７に示すように円弧状周壁方向に長孔７１を形成できる。
【実施例４】
【００１９】  図６の補助具５０は、前・後端部５２と中間部５３との肉厚を異ならせ、前・後端部５２の肉厚を厚くすると変形し難くなる。また内面には凹凸突起やリブなどの摩擦力や引っ掛り力を利用する滑り止め部材５４を設け、尿吸収パッド１がずれるのを防止する。
【実施例５】
【００２０】  図８に示すように、補助具６０内で陰茎１５を上向きにする場合は補助具６０の前端部８部分を絞り込むように形成すればよい。この場合、前端部６１からでる尿吸収パッド１はこの孔から絞り状に圧縮されて出るから、尿が漏れにくい。
【実施例６】
【００２１】  図９に示す補助具８０は、略半筒状の開口側脚端部８１，８２が、１８０度をこえるΩ状に形成される場合で、ネットパンツ１４から加わる締め付け力によって脚端部８１，８２が内方に向けて変形し、尿吸収パッド１を巻き込むように作用する。この脚端部８１，８２の開口角は１２０°より小さくすると、陰茎１５全周を巻き込む傾向にあり好ましくない。【００２２】  上記実施例はいずれも男性に適用する場合を説明したが、女性用としても適用でき、この場合は、補助具６の断面を、ほぼ三角形状の略半筒状とし、股間の空間サイズに合わせて小型化すればよい。着用に当たっては、尿吸収パッド１を、断面三角形状の内面に沿わせ、尿道口に対応する位置に取り付ける。脚を閉じる力は三角形状のコーナー部分に加わり脚開口部が閉じる方向に変形するので尿道口の外方は空間が維持できる。この空間は補助具６の前後方向に沿うように尿吸収パッド１が曲がり変形し溝を構成するので、排尿方向をコントロールでき、横漏れを抑制できる。
【符号の説明】
【００２３】１  尿吸収パッド
６  補助具
７  周壁
８  前端部
９  後端部
１０  中間部
１１  頂部
１２  内面
１３  脚端部
１４  ネットパンツ
１７  空間
【図１】
0005531181.tif 000002
【図２】
0005531181.tif 000003
【図３】
0005531181.tif 000004
【図４】
0005531181.tif 000005
【図５】
0005531181.tif 000006
【図６】
0005531181.tif 000007
【図７】
0005531181.tif 000008
【図８】
0005531181.tif 000009
【図９】
0005531181.tif 000010